(57)【特許請求の範囲】
【請求項１】
周囲を人が囲むことのできる天板と、前記天板の下方に配置された本体部とを備えており、
前記天板には、汚れた空気の吸い込み口が開口している一方、
前記本体部には、汚れた空気を浄化するためのフィルター及びファンを有する浄化機構部と、浄化機構部から排出されて空気を外部に放出する吹き出し口とが備えられており、前記フィルターは前記吸い込み口の下方に配置されて前記ファンはフィルターの下方に配置されており、このため、浄化機構部内で空気は下向きに流れるようになっている天板付き空気浄化装置であって、
前記本体部のうち平面視で前記浄化機構部の外側の部位に、浄化機構部から排出された空気の一部を還流させる還流通路を、還流空気が上向きに流れてから天板の下面に沿って水平方向に流れるようにして設けており、更に、天板の近傍又は天板自体に、還流通路に還流した空気を前記吸い込み口の近傍まで戻す循環噴気口が設けられている、
天板付き空気浄化装置。
【請求項２】
前記吸い込み口の上方には、天板よりも高い部位において汚れた空気を吸引し得る平面視四角形の集気ヘッドが配置されており、前記集気ヘッドの各コーナー部の箇所に前記循環噴気口を配置している、
請求項１に記載した天板付き空気浄化装置。
【発明の詳細な説明】
【０００１】
【発明の属する技術分野】
本発明は、テーブル型空気浄化装置やカウンター型空気浄化装置、或いはスタンド型空気浄化装置のように、天板を備えた家具型空気浄化装置の改良に関するものである。
【０００２】
【従来の技術】
この種の天板付き空気浄化装置は、一般に、天板の下面に取付けた筒型又は箱型のボデーにフィルターやファン等の浄化機構を内蔵している。
【０００３】
そして、浄化された空気は、ボデーの下面から直接に床に吹き出したり（例えば特開平９−１５５２３１号公報参照）、ボデーの側面に形成した吹き出し口から外向きに排出したりしている。
【０００４】
また、意匠登録第１０５２４０３号公報には、ボデーの左右両側部に上向き開口の吹き出し口を設ける一方、天板の一側面に、逆Ｌ字状で人の背丈態度の高さの吸引ダクトを取付け、浄化済空気の噴出による空気流によって、煙草の煙を吸引ダクトの上部の吸い込み口に押しやるようにした空気浄化装置が開示されている。
【０００５】
また、特開平８−８２４３０号公報には、天板の周縁部に４本のパイプを立設し、浄化済空気をこれらのパイプの上端から略水平方向に噴出させることにより、４本のパイプで囲われた空間に旋回流を形成することが記載されている。
【０００６】
更に、特開平１０−２８１５０９号公報には、天板の後部に立設した逆Ｌ字状のダクトによって浄化済空気を天板の上方に案内し、ダクトの先端から浄化済空気を下向きに噴出させることが開示されている。
【０００７】
【発明が解決しようとする課題】
前記意匠登録第１０５２４０３号や特開平８−８２４３０号公報、特開平１０−２８１５０９号公報は、浄化済空気の空気流を利用して汚れた空気の吸引効率をアップせんとしたものである。
【０００８】
しかし、これらの構成では、天板の周縁部や後部などからダクトやパイプが立ち上がっているため、体裁が悪いと共にダクトやパイプが邪魔になるといった問題があり、会議室のように美観を重視する場所には使いにくかった。
【０００９】
他方、特開平９−１５５２３１号公報のように浄化済空気を本体部の下部において吹き出すものは、すっきりしたデザインにできる利点があるが、寒い地方（或いは室温の低い部屋）で使用したり、スカートを穿いた女性が使用したりする場合、冷たい浄化済空気が使用者の足（脛）に当たって、寒さを感じたり違和感を覚えたりすることがあるという問題があった。
【００１０】
本発明は、このような現状を改善することを目的とするものである。
【００１１】
【課題を解決するための手段】
請求項１の発明において、空気浄化装置は、周囲を人が囲むことのできる天板と、前記天板の下方に配置された本体部とを備えており、前記天板には、汚れた空気の吸い込み口が開口している。
【００１２】
一方、前記本体部には、汚れた空気を浄化するためのフィルター及びファンを有する浄化機構部と、浄化機構部から排出されて空気を外部に放出する吹き出し口とが備えられており、前記フィルターは前記吸い込み口の下方に配置されて前記ファンはフィルターの下方に配置されており、このため、浄化機構部内で空気は下向きに流れるようになっている。そして、前記本体部のうち平面視で前記浄化機構部の外側の部位に、浄化機構部から排出された空気の一部を還流させる還流通路を、還流空気が上向きに流れてから天板の下面に沿って水平方向に流れるようにして設けており、更に、天板の近傍又は天板自体に、還流通路に還流した空気を前記吸い込み口の近傍まで戻す循環噴気口が設けられている。
【００１３】
請求項２の発明では、請求項１において、前記吸い込み口の上方には、天板よりも高い部位において汚れた空気を吸引し得る平面視四角形の集気ヘッドが配置されており、前記集気ヘッドの各コーナー部の箇所に前記循環噴気口を配置している。
【００１４】
【発明の作用・効果】
本願発明においては、浄化済空気の一部は還流通路を介して天板の近傍で放出されるため、吹き出し口から本体部の外側に放出される浄化済空気の量は少なくなる。従って、浄化済空気が使用者の足に当たることを抑制して、使用者が浄化済空気によって悪影響を受けることを防止又は低減できる。
【００１５】
請求項２のように構成すると、還流した浄化済空気によって天板上の汚れた空気を集気ヘッドに押しやることができるため、汚れた空気（煙草の煙）の吸引効率を向上できる。この場合、天板の周囲や外側にダクトやパイプなどを立設する必要はないため、体裁が悪化したり人の邪魔になったりすることはない。
【００１６】
また、いったん浄化した空気の一部を再度フィルターに通するため、すなわち、空気の一部がフィルターを循環するため、脱臭機能を向上することもできる。
【００１７】
【発明の実施形態】
次に、本発明の実施形態を図面に基づいて説明する。
【００１８】
(1).第１実施形態（図１〜図５）
図１〜図５では第１実施形態を示している。図１は全体の斜視図、図２は正面図、図３は図１の III-III視断面図、図４は図１のIV−IV視断面図、図５は図１の V-V視断面図である。
【００１９】
本実施形態は、人が椅子に腰掛けて使用できるテーブルタイプの空気浄化装置に適用しており、空気浄化装置は、平面視略矩形の天板１と、その下方に配置した本体部２とを備えている。
【００２０】
天板１の中央部には吸い込み口３が空いており、吸い込み口３には、穴空き板製の集気ヘッド４を着脱自在に装着している。集気ヘッド４の外周面のうち下部は台錐部４ａとなり、上部は逆台錐部に傾斜したハング部４ｂになっている。
【００２１】
本体部２は、コーナー部が面取りされた平面視略四角形状（箱型）のボデー５と、ボデー５におけるコーナー部の下端から放射状に延びる脚６とを備えている。ボデー５の一面にはメンテナンス用の扉７を設けている。
【００２２】
図２に示すように、ボデー５には、浄化機構部として、フィルターユニット８と、モータ９で駆動される吸引用のファン（シロッコファン）１０とが内蔵されている。ボデー５の下端は底板１１で塞がれており、モータ９とファン１０は底板１１に固定されている。
【００２３】
底板１１はボデー５の下面よりもやや上方に位置しており、正面視で、その左右両側部が段落ちした状態になっている。ボデー５のコーナー部と左右側面とには、多数の長穴群からなる吹き出し口１２が空いている。吹き出し口１２は、ボデー４の側面のみ又はコーナー部のみに設けても良い。
【００２４】
なお、ボデー５の内部には、ゴミ取り用ネットや、殺菌・脱臭機能を高めるための光触媒ユニットや活性炭ユニットなどを並設しても良い。
【００２５】
図２や図３に示すように、ボデー５における左右側板の内側には隔壁１３が配置されており、また、ボデー５の上部には、天板１との間に隙間が空くように水平ダクト１４を設けており、これにより、吹き出し口４の左右側部に向けて延びる還流通路１５が形成されている。
【００２６】
更に、図４や図５に示すように、吹き出し口３の周囲には、還流通路１５と連通した環状の循環噴気口１６が上向きに開口している。循環噴気口１６は、集気ヘッド４における台錐部４ａの下方に位置している。
【００２７】
空気浄化装置を運転すると、天板上の空気はファン８で吸引されて吸い込み口３から下向きに流れる。そして、浄化済空気の一部は図２に点線矢印ｂで示すように還流通路１５を上向きに流れてから循環噴気口１６より噴出し、集気ヘッド４からボデー３の内部に再び吸引される。すなわち、浄化済空気の一部が循環して更に浄化される。
【００２８】
そして、浄化済空気が循環噴気口１６から噴出して集気ヘッド４のハング部４ｂから吸引されるにおいて、浄化済空気は上向きの圧力風となるため、集気ヘッドの周囲に集まった空気（煙草の煙）が集気ヘッド４に押しやられて、汚れた空気を効率的に吸引できる。
【００２９】
また、図５に矢印Ａで示すように、浄化済空気が上向きに噴出することに伴う負圧効果により、集気ヘッド４の周囲には、天板１の上面近くの風を集気ヘッド４に引き付けるような空気流が発生するため、天板１の上面近くで淀むように漂っている汚れた空気を効果的に吸引することができる。
【００３０】
更に、ボデー５の吹き出し口１２から吹き出す浄化済空気の量は少なくなるため、ボデー５の下部から噴出した浄化済空気が人の足（脛）に強く当たることを防止又は抑制して、人への悪影響を改善できる。本実施形態の場合、還流通路１５に戻す浄化済空気の量は例えば１０〜２０％で良い。
【００３１】
本実施形態では、浄化済空気は集気ヘッド４の台錐部４ａを通過してからハング部４ｂに入るようになっているが、集気ヘッド４を、ストレート状筒部の上端にハング部が広がったキノコ状に形成し、ハング部の下方に循環噴気口を開口させても良い。
【００３２】
また、集気ヘッド４の外周面がストレート状である場合は、集気ヘッド４を囲うように循環噴気口１６を設けても良い。更に、循環噴気口１６は全周にわたって開口している必要はなく、集気ヘッド４の周囲に飛び飛びの状態で開口していても良いのである。
【００３３】
(2).第２実施形態（図６〜図８）
図６〜図８では第２実施形態を示している。図６は全体の斜視図、図７は集気ヘッドの平面図、図８のうち（Ａ）は図７のＡ−Ａ視断面図、（Ｂ）は図７のＢ−Ｂ視断面図である。
【００３４】
この実施形態では、ボデー５のコーナー部に吹き出し口１２を設けている一方、集気ヘッド４は、その略下半部とストレート状で上半部は台形状となるように形成されている。また、略下半部は穴空き板（或いは柵）４ｄで保護されており、台形状の上半部はコーナー部４ｃを除いて全体的に開口している。
【００３５】
天板１の下方のうち集気ヘッド４の左右両側方には還流通路１５が延びており、天板１には、還流通路１５に還流した浄化済空気を集気ヘッド４の各コーナー部４ｃから吸い込み口３に戻すための循環噴気口１６が空いている。各コーナー部１５の内側には通風板４ｅを配置している。
【００３６】
この実施形態では、フィルターユニット８を通過した浄化済空気のうち一部（例えば１０〜２０％）は還流通路１５を介して吸い込み口３に戻り、再びフィルターユニット８を通過する。
【００３７】
このため、吹き出し口１２から噴出する空気の量を少なくして、冷気によって人に悪影響を与えることを防止又は抑制できる。また、フィルターユニット８が目詰まりするなどして、フィルターを通過した空気に僅かながら臭いが残っても、浄化性能を保持することができる。
【００３８】
吹き出し口１２はボデー５の側面に設けても良い。また、ボデー５から吹き出された浄化済空気がボデー５の外周回り方向に流れるようにガイドする風向ガイド手段を設けても良い。更に、ボデー５の内部のうち吹き出し口１２の近くに、浄化済空気の外向き噴出速度を低減するための邪魔板のような抵抗体を設けても良い。
【００３９】
(2).第３実施形態（図９）
図９に示す第３実施形態では、集気ヘッド４は、高く延びる吸引パイプ４ｃとその上端に設けた広い面積の吸気部４ｄとで傘状に形成されている。そして、天板１の吸い込み口のうち吸気パイプ４ｃの周囲に、還流した浄化済空気を吸気部４ｄに向けて噴出させる循環噴気口１６を設けている。
【００４０】
この例では、吸気口部４ｃが高い部位にあることと、浄化済空気によって強い気流を形成できることとが相俟って、汚れた空気の吸引効率をより向上することができる。
【００４１】
(3).第４〜第７実施形態（図10〜図13）
図１０〜図１３では、天板１の縁部に実施形態の循環噴気口１７を設けた実施形態を示している。
【００４２】
このうち図１０に示す第４実施形態では、天板１の外周縁にダクト状噴気部材１７が配置されており、この噴気部材１７に、浄化済空気を斜め下方から集気ヘッド４に向けて噴出させる循環噴気口１６が形成されている。噴気部材１７には、貫流通路に連通したダクト１８が接続されている。
【００４３】
噴気部材１７の内部には、浄化済空気がなるべく天板１の上面に沿うように、風向をガイドする案内ブレード１９を設けている。このように天板１の縁部に循環噴気口１６を設けると、天板１の上面近くに淀むように滞留した煙も効率的に吸引できる利点がある。
【００４４】
図１１に示す第５実施形態では、天板１の縁部に緩く傾斜した傾斜面１ａを形成する一方、噴気部材１７は傾斜面を囲うように形成している。この例では、天板１の傾斜面１ａが、浄化済空気の風向をガイドするガイド機能を果たしているため、構造を簡単化できる。
【００４５】
天板１の縁部に噴気部材１７を設ける場合、図１２に第６実施形態として示すように、天板１の直線部に配置しても良いし、図１３に第７実施形態として示すように天板１のコーナー部に配置しても良い。天板１の全周を囲うように配置することも可能である。
【００４６】
噴気部材１７の長さ（水平方向の長さ）は、求められる吸引能力やデザインの点などの諸般の事情を考慮して設定したら良い。天板１が円形や楕円の場合は、天板の外面の平面形状に応じた平面視円弧状に形成すれば良い。
【００４７】
浄化済空気を天板１の縁部から噴出させる場合、多くの風量が必要な場合は、浄化済空気の全量又は大部分を使用することも可能である。
【図面の簡単な説明】
【図１】第１実施形態に係る空気浄化装置の斜視図である。
【図２】図１のII−II視断面図である。
【図３】図１の III-III視断面図である。
【図４】要部の斜視図である。
【図５】（Ａ）は天板の対角方向から見た要部正面図、（Ｂ）は（Ａ）のＢ−Ｂ視図である。
【図６】第２実施形態を示す斜視図である。
【図７】集気ヘッドの平面図である。
【図８】 (A)は図７のA-A 視断面図、 (B)は図７のB-B 視断面図である。
【図９】第３実施形態を示す平断面図である。
【図10】第４実施形態を示す平断面図である。
【図11】第５実施形態を示す平断面図である。
【図12】第６実施形態を示す平断面図である。
【図13】第７実施形態を示す平断面図である。
【符号の説明】
１  天板
２  本体部
３  吸い込み口
５  ボデー
８  フィルターユニット
１０  ファン
１２  吹き出し口
１３  縦隔壁
１４  水平ダクト
１５  還流通路
１６  循環噴気口
【図１】
0003789779.tif 000002
【図２】
0003789779.tif 000003
【図３】
0003789779.tif 000004
【図４】
0003789779.tif 000005
【図５】
0003789779.tif 000006
【図６】
0003789779.tif 000007
【図７】
0003789779.tif 000008
【図８】
0003789779.tif 000009
【図９】
0003789779.tif 000010
【図１０】
0003789779.tif 000011
【図１１】
0003789779.tif 000012
【図１２】
0003789779.tif 000013
【図１３】
0003789779.tif 000014